(57)【要約】【課題】  熱変色インクを変色可能とする摩擦体による幼児等の誤飲を防止して、窒息等の事故を未然に回避可能とする。【解決手段】  天然ゴムや合成ゴム又は樹脂を主材とした基材中に苦味物質を含有させて成る熱変色インクを変色可能とする摩擦体であって、摩擦体を幼児が口に含んだ時に苦味で吐き出させる。  【選択図】  図１
2016040082.tif 000002
【特許請求の範囲】
【請求項１】
天然ゴムや合成ゴム又は樹脂を主材とした基材中に苦味物質を含有させて成る熱変色インクを変色可能とする摩擦体。  
【請求項２】
先方に筆記部と、後方に棒状体を繰り出し可能とした繰り出し装置を備えて成る筆記具と、棒状体が摩擦体である請求項１記載の摩擦体。
【請求項３】
通気孔を設けないことを特徴とする請求項１又は２記載の摩擦体。
【請求項４】
外径φ２０ｍｍ以上、又は長さ２０ｍｍ以上であることを特徴とする請求項１から３いずれか１項記載の摩擦体。
【発明の詳細な説明】
【技術分野】
【０００１】
本発明は、熱変色インクを変色可能とする摩擦体の誤飲防止に関する。
【背景技術】
【０００２】
極めて稀なことではあるが、幼児等が熱変色インクを変色可能とする摩擦体を飲み込んで窒息する可能性があることから、特許文献１に示されるような空気流通可能な手段が取られてきている。
【先行技術文献】
【特許文献】
【０００３】
【特許文献１】特開2006-123337
【発明の概要】
【発明が解決しようとする課題】
【０００４】
しかし、通気孔を設けることで変色時における摩擦動作で摩擦体が撓んでしまい、安定した摩擦動作を得ることができない。
そこで、通気孔を設けること無く、幼児が手に触れる可能性の高い熱変色インクを変色可能とする摩擦体や筆記具の後端に取付けられた熱変色インクを変色可能とする摩擦体等の誤飲を防止して窒息などの事故を回避しつつ安定した摩擦動作を得ることができる摩擦体を提供することを課題とする。
【課題を解決するための手段】
【０００５】
本発明は以下の構成を有する。
天然ゴムや合成ゴム又は樹脂を主材とした基材中に苦味物質を含有させて成る熱変色インクを変色可能とする摩擦体とすることで、幼児が口に含んだ時に苦味によって吐き出させる。
【０００６】
また、本発明は熱変色インクを変色可能とする摩擦体、ノック又は回転操作により熱変色インクを変色可能とする摩擦体を繰り出し可能とした繰り出し装置、先方に筆記部と、後方に前記摩擦体を繰り出し可能とした繰り出し装置を備えて成る筆記具等に於いて、前記摩擦体の基材中に苦味物質を含有させてなるものである。
【０００７】
また本発明は、摩擦体に通気孔を設けないことが望ましい。
【０００８】
また本発明は、外径φ２０ｍｍ以上、又は長さ２０ｍｍ以上であることが望ましい。
【０００９】
熱変色インクを変色可能とする摩擦体の基材としては、天然ゴム又は合成ゴムに適量の苦味物質を含有させて溶剤等で混練すると共に、溶剤を除去した後に加圧、加熱を加えて必要な形状に成形してなる。
【００１０】
具体的には、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物が挙げられる。特にポリプロピレン樹脂及びスチレン系熱可塑性エラストマーの混合物、またはポリプロピレン樹脂及びポリプロピレン系熱可塑性エラストマーの混合物から形成され、その配合比率がそれぞれ重量比で１：１〜１：４であり、研磨剤、可塑剤、充填剤を含有せず、ＪＩＳＫ６２５１に規定されたデュロメータ硬度Ａが７０°〜１００°となる材質からなる低摩耗性の弾性材料から形成される。
【００１１】
苦味物質は、幼児が口に加えた時にその苦味によって生理的に吐き出す効果のあるものであり、人体に対し安全性の高い、生薬等に含まれるタンニン、カテキン、クロロゲン酸、デナトニウム等の苦味成分が選択される。
【００１２】
なお、熱変色インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」ということとする。したがって、描線が筆記された筆記面等に対して消去部としての摩擦体によって擦過して摩擦熱を生じさせ、それによって描線を無色に変化、すなわち消去させる。なお、当然のことながら上記第２色は、無色以外の有色でもよい。
【発明の効果】
【００１３】
本発明により、熱変色インクを変色可能とする摩擦体、ノック又は回転操作により摩擦体を繰り出し可能とした繰り出し装置、先方に筆記部と、後方に摩擦体を繰り出し可能とした繰り出し装置を備えて成る筆記具等に於いて、摩擦体の基材中に苦味物質を含有させたことで、幼児が熱変色インクを変色可能とする摩擦体を口に含んだ時に苦味により吐き出し、誤飲が防止されるので窒息等の事故が回避される。また、摩擦体に通気孔を形成しないことで安定した摩擦動作を得ることができる。また、外径φ２０ｍｍ以上、又は長さ２０ｍｍ以上とすることで、より誤飲を防止することができる。
【図面の簡単な説明】
【００１４】
【図１】本発明の熱変色インクを変色可能とする摩擦体を使用した摩擦体繰り出し装置の要部縦断面図である。
【発明を実施するための形態】
【００１５】
図１は本発明の熱変色インクを変色可能とする摩擦体を使用する摩擦体繰り出し装置の一実施例を示している。当該繰り出し式の摩擦体装置は、キャップ４、内筒１１、摩擦体ホルダー１８の部材を組み合わせて構成され、キャップ４は先方に先軸１の後端外周に被嵌する内孔６と凹溝７を有し、凹溝７の後方に螺旋溝５が形成され、螺旋溝５の後端に傾斜状の当接部８を有して後端に開口した摩擦体出没孔１０が設けられている。又、外周側面にクリップ９が設けられている。
【００１６】
内筒１１は、摩擦体２３を挿通する孔部と共にキャップ４の当接部８に当接する傾斜状の後端部１３を有し、略中央から後端部１３に向けて長いスリット１２が穿設されている。又、前方には先軸１の後端孔に回転方向で一体に係合する軸部１４を有し、軸部１４の内孔には熱変色インクを収容したインク収容管３の外周部が適宜に止着され、更に、インク収容管３の後端に当接し、微細な貫通孔が形成されている仕切り部１７が設けられている。又、軸部１４の後方外周には前記キャップの凹溝７に弾性的に嵌入するツバ部１５が設けられている。又、摩擦体ホルダー１８は後方に摩擦体２３の後端を挟着する一対の弾性片２０とその内面には摩擦体２３の外面に適宜食い込む係止突起２１を有し、前方の筒部２２の側面には弾性片２０と同軸上で一対の突起１９が設けられている。
【００１７】
上記、内筒１１の内孔部に、スリット１２の弾性変形により摩擦体ホルダー１８を嵌装して突起１９と弾性片２０をスリット内に嵌入させると共に、摩擦体ホルダー１８の後端に摩擦体２０が止着され、内筒１１をキャップ４の前端から挿入してツバ部１５を弾性変形によりキャップの凹溝７に嵌入させる。又、このとき摩擦体ホルダー１８の前端は内筒１１のスリット前端の段部１６に当接した状態で突起１９が螺旋溝５に嵌入される。尚、正確には内筒を先軸に止着した時に先軸に対してキャップを若干回転して突起と螺旋溝が迎合する。以上により、内筒１１は後端部１３をキャップ４の当接部８に略当接した状態でキャップ４に対して回転自在で抜け止めされ、内筒１１の軸部１４が先軸１の後端孔に回転止めされると共にインク収容管３に止着される。尚、内筒１１のスリット１２を有した筒部は華奢で変形し易いが、上記傾斜状の当接部８と後端部１３の迎合により内方への変形が防止され取付け後は安定化する。
【００１８】
摩擦体２３は、本実施例では長さ３０ｍｍで形成されているが、誤飲防止のため、外径又は長さ２０ｍｍ以上に形成する。また、熱変色インクの摩擦時の動作安定のため、本実施例では摩擦体２３には通気孔を設けていない。
【００１９】
ところで、前記先軸１の前方にはインク収容管３の前後動と連動して、インク収容管の前方に取り付けられた筆記部を有する熱変色リフィルを繰り出すように成されたボールペン筆記体要素が配設される。又、筆記部としては、後端のノックにより筆記先端部が軸先より出没する熱変色ボールペン、熱変色マーキングペンも適用可能である。また、熱変色リフィルの代わりにシャープペンシル筆記体とすることで熱変色シャープペンシルとしても適用可能である。
【００２０】
上記摩擦体繰り出し装置は、先軸１に対しキャップ４を左右に回転すると摩擦体２３がキャップ４の後端孔から出没する。摩擦体２３を没入した状態でキャップ４の後端をノックすれば芯を繰り出すことができる。摩擦体２３が消耗して、摩擦体ホルダー１８がキャップ４の後端に達した時には新しい摩擦体２３を差し変える。又、熱変色インクを変色可能とする摩擦体２３を幼児が口に含んだ場合、苦味で吐き出す。
【符号の説明】
【００２１】
１先軸
２内孔
３インク収容管
４キャップ
５螺旋溝
６内孔
７凹溝
８当接部
９クリップ
１０摩擦体出没孔
１１内筒
１２スリット
１３後端部
１４軸部
１５ツバ部
１６段部
１７仕切り部
１８摩擦体ホルダー
１９突起
２０弾性片
２１係止突起
２２筒部
２３摩擦体
【図１】
2016040082.tif 000003